(57)【要約】【課題】グランドパッキンを作成すべくひねり加工又は編組する際の部分的な膨張黒鉛の欠落が生じないように、膨張黒鉛を基材とするヤーンを、通常の曲げ加工における膨張黒鉛のはみ出しが生じない柔軟性に富む改善されたものとする。【解決手段】０．１ｍｍ径インコネル線２を編む又は組むことによって成る筒状部材３内に、幅ｗを厚みｔで除した値である縦横比が１〜５に設定される断面を有する繊維状の繊維状膨張黒鉛４を充填して、グランドパッキン用のヤーン１を形成する。【選択図】図１
2007138315.tif 000002
【特許請求の範囲】
【請求項１】
繊維材を編む又は組むことによって成る筒状部材内に、幅を厚みで除した値である縦横比が１〜５に設定される断面を有する繊維状膨張黒鉛を充填して形成されるヤーン。
【請求項２】
前記縦横比が１〜３に設定されている請求項１に記載のヤーン。
【請求項３】
前記繊維状膨張黒鉛の厚みが０．２５ｍｍ〜０．５０ｍｍに設定されている請求項１又は２に記載のヤーン。
【請求項４】
請求項１〜３の何れか一項に記載のヤーンの複数本を集束してひねり加工又は編組して紐状に構成されるグランドパッキン。
【発明の詳細な説明】
【技術分野】
【０００１】
本発明は、ヤーン及びグランドパッキンに係り、詳しくは、編組タイプのグランドパッキンや紐状ガスケット、耐火クロス等に用いられるヤーン、並びにそのヤーンを用いて作成されるグランドパッキンに関するものである。
【背景技術】
【０００２】
流体機器の軸封部などに用いるグランドパッキンや、それに用いるヤーン（編み糸）に関する従来技術としては、特許文献１や特許文献２に示されたもののように、基材として膨張黒鉛を用いたものが知られている。これら特許文献１，２においては、グランドパッキン用としてのヤーンを、繊維材を編む又は組むこと（ニット編みや編組等）によって成る筒状部材内に長尺状の膨張黒鉛シートを充填することで形成することが開示されている。そして、上記のようにして形成されるヤーンを複数本用いてのひねり加工又は編組（例：８本の編み糸による８打角編）により、グランドパッキンが作成される。
【０００３】
このような構成の膨張黒鉛製ヤーンを用いる従来技術は、膨張黒鉛基材の外周を補強線材でニット編み等して被覆してあるので、これら複数のヤーンを編組してグランドパッキンを製造する際に各ヤーンに生じる引っ張り力やねじり力に対して、補強線材を編む又は組むことで成る筒状部材がこれに対抗し、その筒状部材内にある膨張黒鉛基材の破断が防止されることを意図して成されたものである。
【特許文献１】特開昭６３−１８６３号公報
【特許文献２】特公平６−２７５４６号公報
【発明の開示】
【発明が解決しようとする課題】
【０００４】
しかしながら、これら従来技術によるヤーンを用いての編組によりグランドパッキンを作成した場合、部分的に膨張黒鉛が切断欠落してその部分には補強繊維しか存在しないという不都合の生じることがあった。これは次のような原因によるものである。即ち、ヤーンをひねり加工又は編組すべく曲げたり捩ったりした場合に、筒状部材内の膨張黒鉛シートがその曲りや捩りに追従できない部分があり、そのような部分は筒状部材を形成する繊維材どうしの間からはみ出てしまうこととなる。この不都合は、ヤーンとしての最小曲げ半径があまり小さくならないことに起因している。
【０００５】
従って、部分的に繊維材間から膨張黒鉛がはみ出ている状態のヤーンの複数を、グランドパッキンにすべくひねり加工又は編組すると、それに伴う隣合うヤーンどうしの擦れ合いにより、繊維材間からはみ出している膨張黒鉛が削り取られてしまうという不都合である。上述のような不都合が生じると、その不都合部分、即ち膨張黒鉛の欠落部分におけるシール性が低下することになり、具合が悪い。
【０００６】
本発明の目的は、繊維材を編む又は組むことによって成る筒状部材内に基材としての膨張黒鉛を充填して成るヤーンを更に改良することにより、グランドパッキンを作成すべくひねり加工又は編組する際の部分的な膨張黒鉛の欠落が生じないように、膨張黒鉛を基材とするヤーンを、通常の曲げ処理における膨張黒鉛のはみ出しが生じない柔軟性に富む改善されたものとする点にある。また、その改善されたヤーンによって形成されるシール性に優れるグランドパッキンを得ることも目的である。
【課題を解決するための手段】
【０００７】
請求項１に係る発明は、ヤーン１において、繊維材２を編む又は組むことによって成る筒状部材３内に、幅ｗを厚みｔで除した値である縦横比ｈが１〜５に設定される断面を有する繊維状膨張黒鉛４を充填して形成されることを特徴とするものである。
【０００８】
請求項２に係る発明は、請求項１に記載のヤーン１において、前記断面の縦横比ｈが１．０〜３に設定されていることを特徴とするものである。
【０００９】
請求項３に係る発明は、請求項１又は２に記載のヤーン１において、前記繊維状膨張黒鉛４の厚みｔが０．２５ｍｍ〜０．５０ｍｍに設定されていることを特徴とするものである。
【００１０】
請求項４に係る発明は、グランドパッキン５において、請求項１〜３の何れか一項に記載のヤーン１の複数本を集束してひねり加工又は編組して紐状に構成されることを特徴とするものである。
【発明の効果】
【００１１】
請求項１の発明によれば、繊維材を編む又は組むことによって成る筒状部材内に充填する膨張黒鉛として、縦横比が１〜５に設定された断面を有する繊維状膨張黒鉛を用いる手段であり、これによってヤーンとしての最小曲げ（特に幅方向の曲げ）半径が、従来品に比べて明確に小さくなることが確認された（図４参照）。故に、ヤーンをひねり加工又は編組すべく曲げたり捩ったりした場合に、筒状部材内の膨張黒鉛シートがその曲りや捩りに十分追従できるようになって、繊維材どうしの間からはみ出てしまうことが解消され、グランドパッキンにすべく複数のヤーンをひねり加工又は編組する際に、隣合うヤーンどうしの擦れ合いによって繊維材間からはみ出している膨張黒鉛が削り取られてしまうという不都合が生じないようになる。従って、グランドパッキンにおける膨張黒鉛の欠落に起因したシール性低下が回避されるようになるのである。
【００１２】
その結果、グランドパッキンを作成すべくひねり加工又は編組する際の部分的な膨張黒鉛の欠落が生じないように、膨張黒鉛を基材とするヤーンを、通常の曲げ処理における膨張黒鉛のはみ出しが生じない柔軟性に富む改善されたものとして提供することができる。そして、請求項４のように、ヤーンの複数本を集束してひねり加工又は編組して紐状に構成することにより、膨張黒鉛の欠落によるシール性低下が生ぜず、長期に亘って良好なシール性を有する改善されたグランドパッキンを提供することができる。
【００１３】
請求項２の発明によれば、繊維状膨張黒鉛の断面の縦横比を１〜３に設定することにより、前述した最小曲げ半径が飛躍的に小さくなることが確認され、請求項１の発明による前記作用効果がさらに強化されるヤーンを提供することができる。この場合、請求項３のように、繊維状膨張黒鉛の厚みを０．２５ｍｍ〜０．５０ｍｍに設定すれば、実用に適した望ましいヤーンを構成することが可能となる。
【発明を実施するための最良の形態】
【００１４】
以下に、本発明によるヤーン及びそれを用いたグランドパッキンの実施の形態を、図面を参照しながら説明する。図１はヤーンの製作状況を示す概略説明図、図２は、図１のヤーンを用いて作成されたグランドパッキンを示す図、図３は繊維状膨張黒鉛の断面寸法を示す拡大図、図４，５は繊維状膨張黒鉛の縦横比と曲げ半径との関係データを示す図、図６はグランドパッキンの使用例を示す図である。
【００１５】
本発明によるグランドパッキン用のヤーン（編み糸）１は、図１に示すように、繊維材２の編組によって成る筒状部材３内に、幅を厚みで除した値である縦横比ｈが１〜５（１≦ｈ≦５）に設定される断面を有する繊維状膨張黒鉛４を充填して形成されている。前記縦横比ｈは、図３に示すように、繊維状膨張黒鉛４の断面寸法における幅ｗを厚みｔで除した（割った）値（ｈ＝ｗ／ｔ）である。尚、繊維状膨張黒鉛４の断面形状は、例えば、長円形や楕円径等、矩形以外の形状でも良い。
【００１６】
図４及び図５においては、繊維状膨張黒鉛４の厚みｔが、０．２５ｍｍ、０．３８ｍｍ、０．５０ｍｍの３種類について、縦横比ｈが１．５，２，３，４，５の５種類の計１５通りのサンプル（ヤーン１）について、幅方向の曲げ可能半径を測定してデータを取ったものである。この場合の「曲げ可能半径」とは、繊維状膨張黒鉛４の切断、割れが生じない正常な状態で曲げうる最小径のことである。繊維状膨張黒鉛４の厚みｔが０．２５ｍｍのものは小径グランドパッキン用のヤーンに、０．３８ｍｍのものは普及型のグランドパッキン用ヤーンに、そして０．５０ｍｍのものは大径グランドパッキン用のヤーンにそれぞれ適している、という使用形態が考えられる。
【００１７】
例えば、断面形状の縦横比ｈが１０であるといった扁平な断面形状を有する膨張黒鉛シートを用いたヤーンでは、その長手方向の引張り力が作用すると、断面形状における長手方向である幅寸法が長いためにその両端での応力に差が出易いことから、その内部応力を緩和すべく引張り力が作用するに伴って自然に断面形状がＣ型等の湾曲形状に変化する性質がある。しかしながら、筒状部材内に充填されている状態では、膨張黒鉛シートが個々に丸く断面変化することが物理的に困難な状況にあるため、従来品においては、引張り力が強くなると内部応力の緩和ができず、従って切れてしまう他なかったのである。そこで、本発明によるヤーン１では、前述のように断面形状の縦横比ｈが５以下とされた繊維状膨張黒鉛４を用いているので、引張りに伴う断面湾曲型への変化を要することなくある程度の内部応力の緩和が可能になるとともに、隣合う繊維状膨張黒鉛どうしの滑りも良くなり、従って、実用上で十分な曲げ性能を有するヤーン１を実現できたと考えられる。
【００１８】
しかして図４の表や図５のグラフから分るように、繊維状膨張黒鉛４の縦横比ｈが５以下になると実用に耐え得る最小曲げ半径値が得られるものであり、縦横比ｈが３以下になると、最小曲げ半径が極端に小さくなることが伺える。従って、縦横比ｈの範囲は、好ましくは１．０〜３．０の範囲（１．０≦ｈ≦３．０）に設定されるのが望ましい。ｈが１であるとは、厚さが０．２５ｍｍの場合には幅も０．２５ｍｍとなり、物理的に切断するのが困難になるから、切断作業の実情から、縦横比ｈの下限を１に設定するのが現実的であると思われる。尚、図４，５の実験データからは、縦横比ｈが１．５〜３．０の範囲のヤーン１が良い。
【００１９】
図２に示すグランドパッキン５は、上述のヤーン１の８本（複数本の一例）を芯材Ｓの周りに（芯材Ｓが無くても良い）集束してひねり加工又は編組（８打角編等）して紐状に構成されたものであり、これを連続して丸めて圧縮成形することにより、断面が矩形で全体形状がドーナツ型のリング形のグランドパッキンＧとすることができる。例えば、図６に示すように、グランドパッキンＧは、回転軸６の軸方向に複数個並ぶ状態でパッキンボックス７に装備され、かつ、パッキン押え８によって軸方向に押圧されることにより、回転軸６の外周面６ａに対してシール作用するように用いられる。
【００２０】
〔実施例１〕
実施例１によるヤーンは、次のように作成される。繊維材２として直径０．１ｍｍ程度のインコネル線（又はステンレス線等）を用いて編組（ニット編）によって成る筒状部材３内に、厚さ０．３８ｍｍ×幅１．０ｍｍの矩形断面形状を為し、かつ、長さが２００ｍｍ前後の繊維状膨張黒鉛４の多数を、それらの端部を２０ｍｍずらしながら入れ込んで充填させ、断面形状が円形（丸型）のヤーン１とした。この実施例１による第１ヤーン１における繊維状膨張黒鉛４の断面の縦横比ｈは、ｈ＝１．０／０．３８≒２．６３であり、また、第１ヤーン１の重量は５ｇ／ｍであった。
【００２１】
図２に、実施例１のヤーン１を用いて成るグランドパッキン５が示されている。このグランドパッキン５は、実施例１のヤーン１を８本用いて編組（８打角編等）した後に、表面に黒鉛を塗布し、断面が縦８ｍｍで横８ｍｍの正方形を呈するグランドパッキン５を製作した。
【００２２】
〔実施例２〕
実施例２によるヤーンは、次のようにして作成される。断面サイズが厚さ０．３８ｍｍで、幅１．０ｍｍ、長さ２００ｍｍの繊維状膨張黒鉛４を、その端部を３０ｍｍずつずらしながら収束させて長尺品とし、その外周を線径０．１ｍｍのインコネル線による繊維材２を用いてニット編みして成る筒状部材３で被覆し、断面形状が円形（丸型）のヤーン１を製作した。この実施例２による第２ヤーン１における繊維状膨張黒鉛４の縦横比ｈは、ｈ＝１．０／０．３８≒２．６３であり、また、第２ヤーン１の重量は４ｇ／ｍであった。
【００２３】
この実施例２によるヤーン１を８本用いて編組してから、表面に黒鉛を塗布し、断面が縦６．５ｍｍで横６．５ｍｍの正方形を呈するグランドパッキン５を製作した（図２参照）。
【００２４】
参考に、本発明の上記実施例１，２のヤーンと、従来構造による従来品１〜５にヤーンとの特性比較表を図７に示す。従来品の概略構成は次の通りである。従来品１のヤーンは、細幅の膨張黒鉛シートの複数枚を積層して、その外周を繊維で補強する構造のものである。従来品２のヤーンは、広幅の膨張黒鉛テープを折畳んで成る紐状体の外周を繊維で補強する構造のものである。従来品３のヤーンは、繊維で補強された広幅の膨張黒鉛テープを折畳み又は加撚する構造のものである。従来品４のヤーンは、従来品３のヤーンの外周をさらに繊維で補強する構造のものである。従来品５のヤーンは、繊維で形成した筒状部材内に短冊状の膨張黒鉛シートを充填する構造のものである。
【００２５】
図７の特性比較表から、実施例１，２のヤーン１の伸びは、従来品１〜５のいずれのものよりも明確に優れており、レベルの高いものとなっていることが理解できる。
【００２６】
以上より、本発明によるヤーン１、及びそれによるグランドパッキン５には次のような利点がある。１．繊維状膨張黒鉛の収束本数を変更することで、任意の太さのヤーンを製作することが可能である。２．繊維状膨張黒鉛どうしの滑りが良く、そのために膨張黒鉛が切れることがないと共に伸びも大きい。３．繊維束は容易に断面が変形して丸形になるので、補強材との密着性が良く、かつ、曲げ易い。４．長尺の材料を使用しないので、生産が容易である。５．接着剤無しでヤーンを製作することが可能である。
【図面の簡単な説明】
【００２７】
【図１】ヤーンの概略の作り方を示す作用図
【図２】図１のヤーンの編組によるグランドパッキンを示す斜視図
【図３】繊維状膨張黒鉛の断面形状及び寸法比率を示す説明図
【図４】繊維状膨張黒鉛の断面の幅／厚みの比率と最小曲げ半径との対比表を示す図
【図５】繊維状膨張黒鉛の断面の幅／厚みの比率と最小曲げ半径との関係グラフを示す図
【図６】グランドパッキンの使用例を示す要部の断面図
【図７】ヤーンの従来品と本発明品との特性比較表を示す図
【符号の説明】
【００２８】
１          ヤーン
２          繊維材
３          筒状部材
４          繊維状膨張黒鉛
５          グランドパッキン
ｔ          繊維状膨張黒鉛の断面厚み
ｗ          繊維状膨張黒鉛の断面幅
【図１】
2007138315.tif 000003
【図２】
2007138315.tif 000004
【図３】
2007138315.tif 000005
【図４】
2007138315.tif 000006
【図５】
2007138315.tif 000007
【図６】
2007138315.tif 000008
【図７】
2007138315.tif 000009